(57)【要約】【課題】  ピーク対平均電力比（ＰＡＰＲ）が過剰に大きくならないようにし、上りリンクの情報伝送効率を向上させる基地局及び移動局を提供すること。【解決手段】  基地局は、ＶＳＣＲＦ−ＣＤＭＡ方式で送信された信号を受信し、復号化及び時間非圧縮化を行うチップ繰り返し手段と、隣接するセルで使用されるホッピングパターンとは異なるホッピングパターンを格納するメモリと、メモリに格納済みのホッピングパターンをセル内の２以上の移動局に通知する手段とを備える。ホッピングパターンは、２以上の移動局各自の上りリンクチャネルを周波数及び／又は時間方向に直交させるパターンである。移動局は、ＶＳＣＲＦ−ＣＤＭＡ方式で送信する信号の符号化、時間圧縮及び複製を行う手段と、基地局から通知されたホッピングパターンで上りリンクチャネルをマッピングし、送信する手段とを備える。【選択図】  図３
2006352380.tif 000002
【特許請求の範囲】
【請求項１】
可変拡散率チップ繰り返しファクタを用いた符号分割多重アクセス（ＶＳＣＲＦ−ＣＤＭＡ）方式で送信された信号を受信し、復号化及び時間非圧縮化を行うチップ繰り返し手段と、
隣接するセルで使用されるチャネルマッピングパターンとは異なるチャネルマッピングパターンを格納するメモリと、
メモリに格納済みのチャネルマッピングパターンをセル内の２以上の移動局に通知する手段と、
を備え、前記チャネルマッピングパターンは、２以上の移動局各自の上りリンクチャネルを周波数方向、時間方向又は周波数及び時間双方向に直交させるパターンである
ことを特徴とする基地局。
【請求項２】
可変拡散率チップ繰り返しファクタを用いた符号分割多重アクセス（ＶＳＣＲＦ−ＣＤＭＡ）方式で送信する信号の符号化、時間圧縮及び複製を行う手段と、
基地局から通知されたチャネルマッピングパターンで上りリンクチャネルをマッピングし、送信する手段と、
を備え、前記チャネルマッピングパターンは、２以上の移動局各自の上りリンクチャネルを周波数方向、時間方向又は周波数及び時間双方向に直交させるパターンである
ことを特徴とする移動局。
【請求項３】
可変拡散率チップ繰り返しファクタを用いた符号分割多重アクセス（ＶＳＣＲＦ−ＣＤＭＡ）方式で送信された信号を受信し、復号化及び時間非圧縮化を行い、
隣接するセルで使用されるチャネルマッピングパターンとは異なるチャネルマッピングパターンをセル内の２以上の移動局に通知し、
前記チャネルマッピングパターンは、２以上の移動局各自の上りリンクチャネルを周波数方向、時間方向又は周波数及び時間双方向に直交させるパターンである
ことを特徴とする基地局で使用される方法。
【請求項４】
可変拡散率チップ繰り返しファクタを用いた符号分割多重アクセス（ＶＳＣＲＦ−ＣＤＭＡ）方式で送信する信号の符号化、時間圧縮及び複製を行い
基地局から通知されたチャネルマッピングパターンで上りリンクチャネルをマッピングして送信し、
前記チャネルマッピングパターンは、２以上の移動局各自の上りリンクチャネルを周波数方向、時間方向又は周波数及び時間双方向に直交させるパターンである
ことを特徴とする移動局で使用される方法。
【発明の詳細な説明】
【技術分野】
【０００１】
本発明は、無線通信システムで使用される基地局、移動局及び方法に関連する。
【背景技術】
【０００２】
従来の移動通信システムでは回線交換型の通信方式が採用され、ユーザに個別チャネル（ｄｅｄｉｃａｔｅｄ  ｃｈａｎｎｅｌ）が割り当てられている。このような方式は、音声や動画像等の対話式のサービスが中心となるシステムに適している。しかしながら、将来的な移動通信システムでは、コアネットワークのＩＰ（Ｉｎｔｅｒｎｅｔ  Ｐｒｏｔｏｃｏｌ）化に伴ってトラフィックがＩＰパケットとしてバースト的に伝送されるので、無線区間でもパケット交換方式による信号伝送が望ましい。また、無線区間のパケット化に伴い、無線区間における遅延を最小にし、所要送信電力を低減し、リンク容量の大容量化等を図る必要もある。更に、無線区間における誤りの影響を軽減し、高信頼度のパケット伝送を行うことにも配慮しなければならない。
【０００３】
このようなパケット方式の移動通信システムでもセル間の干渉は十分に抑制される必要がある。特許文献１では、周波数帯域が複数のサブキャリアブロックに分割され、各ユーザ信号に対してそのブロック内で周波数ホッピングが行われ、上りリンクでの他セル干渉を軽減する試みがなされている。
【特許文献１】特開平２００４−３１２２９１号公報
【発明の開示】
【発明が解決しようとする課題】
【０００４】
しかしながら、特許文献１ではマルチキャリア方式を使用するので、送信信号のピーク電力と平均電力との比率（ピーク対平均電力比）（ＰＡＰＲ）が非常に大きくなってしまうことがある。このため、電力増幅器の出力に歪成分が混入し、信号品質の劣化、帯域外輻射の増加のような悪影響が懸念される。
【０００５】
本発明の課題は、ピーク対平均電力比（ＰＡＰＲ）が過剰に大きくならないようにし、上りリンクの情報伝送効率を向上させる基地局、移動局及び方法を提供することである。
【課題を解決するための手段】
【０００６】
本発明で使用される基地局は、ＶＳＣＲＦ−ＣＤＭＡ方式で送信された信号を受信し、復号化及び時間非圧縮化を行うチップ繰り返し手段と、隣接するセルで使用されるチャネルマッピングパターンとは異なるチャネルマッピングパターンを格納するメモリと、メモリに格納済みのチャネルマッピングパターンをセル内の２以上の移動局に通知する手段とを備える。前記チャネルマッピングパターンは、２以上の移動局各自の上りリンクチャネルを周波数方向、時間方向又は周波数及び時間双方向に直交させるパターンである。
【０００７】
本発明で使用される移動局は、ＶＳＣＲＦ−ＣＤＭＡ方式で送信する信号の符号化、時間圧縮及び複製を行う手段と、基地局から通知されたチャネルマッピングパターンで上りリンクチャネルをマッピングし、送信する手段とを備える。
【発明の効果】
【０００８】
本発明によれば、ピーク対平均電力比を過剰に大きくせずに上りリンクの情報伝送効率を向上させることができる。
【発明を実施するための最良の形態】
【０００９】
本発明の一形態によれば、ＶＳＣＲＦ−ＣＤＭＡ方式で送信信号のスペクトルが櫛歯状に修正され、各ユーザの送信信号はセル毎に異なるチャネルマッピングパターンで基地局に送信される。チャネルマッピングパターンは、２以上の移動局各自の上りリンクチャネルを周波数方向、時間方向又は周波数及び時間双方向に直交させるパターンである。チャネルマッピングパターンは、割り当てられた周波数帯域内でのシンボル配置をどのように並べ換えているかを示す。セル内で複数の上りリンク信号を直交させるセル毎に異なるパターンに従って、上りリンク信号の各々を送信する周波数が一定期間毎に切り換えられるので、特定の上りリンク信号だけが大きな他セル干渉の影響を受けてしまうことを効果的に抑制できる。
【実施例１】
【００１０】
図１は移動通信システムの概略を示す。図示の例では、左側のセル内で基地局ＢＳ１とユーザ（Ｕｓｅｒ）Ａ，Ｂが通信を行っており、隣接するセル内では基地局ＢＳ２とユーザＣ，Ｄが通信を行っている。各セル内では上りリンクで送信電力制御が行われ、セル内のユーザの位置によらず基地局で同程度の受信品質が得られるように、各移動局の送信電力はそれぞれ制御される。例えば、基地局ＢＳ２から遠いユーザＣは、基地局ＢＳ２に近いユーザＤよりも大きな送信電力で信号を送信する、或いはユーザＤの送信電力はユーザＣの送信電力より弱くなるように送信電力が調整される。
【００１１】
一方、ユーザＣ，Ｄから送信された信号は、隣接セルの基地局ＢＳ１に干渉信号として到達する。図示の位置関係ではユーザＣはセル端に位置し、ユーザＤはそのセル端からは遠くに位置している。従って、ユーザＣから送信された信号は基地局ＢＳ１に対して大きな干渉信号となるが、ユーザＤから送信された信号は基地局ＢＳ１に対してそれほど大きな干渉信号になはらない。図２は基地局ＢＳ１で観測される干渉信号の模式的なスペクトルを示す。ユーザＣは帯域Ｂ１で、ユーザＤは帯域Ｂ２を使用して信号をそれぞれ送信しているとする。この場合に、ユーザＡが帯域Ｂ１で信号を送信し、ユーザＢが帯域Ｂ２で信号を送信したとすると、ユーザＡの上りリンク信号はユーザＣからの信号により大きな干渉を受けることがが予想される。ユーザＢの上りリンク信号はそれ程大きな干渉を受けることは予想されない。
【００１２】
このように近接したセル内で同じ帯域を使用するユーザ（移動局又は端末）の上りリンク信号は他セルからの干渉を大きく受けることがある。以下に説明される実施例による装置及び方法はこのような他セル干渉をなるべく抑制し、情報伝送効率やシステム容量の増加を促そうとするものである。
【００１３】
図３は本発明の一実施例による送信機の一部を示す。この送信機は典型的には本実施例のように移動局に設けられる。図３には、チャネル符号化部３１、データ変調部３２、ホッピングパターン記憶部３３、周波数制御部３４、周波数調整部３５及びバンドパスフィルタ部３６が描かれている。
【００１４】
チャネル符号化部３１は送信するデータを何らかの符号化アルゴリズムに従ってチャネル符号化する。符号化としては例えば畳込み符号化やターボ符号化等が利用されてもよい。
【００１５】
データ変調部３２は送信するデータの多値変調を行う。変調方式としてはＢＰＳＫ、ＱＰＳＫ、１６ＱＡＭ、６４ＱＡＭのような様々な変調多値数の方式が利用されてもよい。
【００１６】
ホッピングパターン記憶部３３は周波数ホッピングを行うためのホッピングパターンを記憶し、下りリンクの制御情報に従って、ホッピングパターンの内容を出力する。ホッピングパターンはセルに固有のパターンである。ホッピングパターンは例えば報知チャネルを通じて移動局に通信開始前に通知されていることが望ましい。
【００１７】
周波数制御部３４はホッピングパターンに従って周波数を調整するための制御信号を出力する。
【００１８】
周波数調整部３５は、周波数制御部３４からの制御信号に従って送信する信号の周波数帯域を適切にずらす。周波数調整部３５は例えば周波数ミキサから構成されてもよい。
【００１９】
バンドパスフィルタ部３６は帯域外の周波数成分を除去し、不図示の無線部に送信信号を出力する。
【００２０】
システムで使用される周波数帯域が複数の周波数ブロックに分割され、リソースの割当や情報伝送等の単位が周波数ブロックで管理される場合には、その周波数ブロックに関する情報も周波数制御部３４に通知される。周波数ブロックは、周波数チャンク又はチャンク（ｃｈｕｎｋ）とも呼ばれ、１つの周波数ブロックは１以上の搬送波を含む。例えば移動局が使用可能な周波数ブロックを区別する識別情報が周波数制御部３４に通知されてもよい。例えばホッピングパターンの各々に対応するパターン番号で複数のホッピングパターンが区別されてもよい。ホッピングパターンは複数の周波数ブロックの間で互いに異なるようにしてもよいし、２以上の周波数ブロックで同じホッピングパターンが使用されてもよい。周波数ブロック毎にホッピングパターンが異なる場合には、ホッピングパターンを区別する識別情報が下りリンクの制御情報に含まれ、それがホッピングパターン記憶部３３に通知されてもよい。システムの帯域が複数の周波数ブロックに分けられる場合には、周波数制御部３４から出力される制御信号は、通信に使用する周波数ブロックの中心周波数に、周波数ホッピングによる周波数シフト量を加えた周波数を示す。
【００２１】
本実施例では使用されないが、送信信号が符号拡散される場合にはデータ変調部３２及び周波数調整部３５の間に拡散部３２５が設けられ、送信信号がそこで拡散される。
【００２２】
図４は本発明の一実施例による受信機の一部を示す。この受信機は典型的には本実施例のように基地局に設けられる。基地局は配下のユーザ毎に受信信号を処理する。各ユーザに関する処理は同様であるので、ユーザ１に関する受信信号の処理がそれらを代表して説明される。図４には、ホッピングパターン記憶部４１、周波数制御部４２、周波数調整部４３、バンドパスフィルタ部４４、データ復調部４５及びチャネル復号部４６が描かれている。
【００２３】
ホッピングパターン記憶部４１は周波数ホッピング用のホッピングパターンを記憶し、必要に応じてホッピングパターンの内容を出力する。システムで使用される周波数帯域が複数の周波数ブロックに分割され、周波数ブロック毎にホッピングパターンが異なる場合には、ホッピングパターン及び周波数ブロックを区別する識別情報ががホッピングパターン記憶部４１に通知されてもよい。
【００２４】
周波数制御部４２はホッピングパターンに従って周波数を調整するための制御信号を出力する。システムの帯域が複数の周波数ブロックに分けられる場合には、制御信号は、通信に使用された周波数ブロックの中心周波数に、周波数ホッピングによる周波数シフト量を加えた周波数を示す。
【００２５】
周波数調整部４３は周波数制御部４２からの制御信号に従って送信する信号の周波数帯域を適切にずらす。周波数調整部４３は例えば周波数ミキサから構成されてもよい
バンドパスフィルタ部４４は帯域外の周波数成分を除去する。
【００２６】
データ復調部４５は送信側で行われた多値変調に対応する復調を行う。
【００２７】
チャネル復号部４６は送信側で行われたチャネル符号化に対応する復号化を行う。
【００２８】
本実施例では使用されないが、送信信号が符号拡散される場合にはバンドパスフィルタ部４４及びデータ復調部４５の間に逆拡散部４４５が設けられ、受信信号がそこで逆拡散される。
【００２９】
図５は本発明の一実施例による動作例のフローチャートを示す。ステップ１では基地局から移動局への下りリンク信号で、セル固有のホッピングパターンが通知される。システムで使用される帯域が複数の周波数ブロックに分割され、１つの周波数ブロックが１以上のユーザにより多重されて使用される場合にはユーザ数分のホッピングパターンが（例えばホッピング番号により）通知される。この下りリンク信号は、セル内の全ユーザに情報を伝送するための共通制御チャネル又はブロードキャストチャネルを用いて伝送できる。
【００３０】
ステップ２では、移動局が基地局に通信のスケジューリングを要求する。
【００３１】
ステップ３では、基地局は移動局からのスケジューリング要求に応じて、その移動局が使用してもよい周波数及びホッピングパターンを移動局に通知する。システムに複数の周波数ブロックが用意されている場合には、使用可能な周波数ブロック及びホッピングパターンを指定できる情報が移動局に通知される。
【００３２】
ステップ４では、指定された周波数又は周波数ブロック及びホッピングパターンでデータが移動局から送信される。
【００３３】
図６は適切なホッピングパターンでスケジューリングされた上りリンク信号の一例を示す。図２に示される場合と同様に、図６上側の図は基地局ＢＳ１で観測される干渉信号を示す。基地局ＢＳ１のセルにとって隣接セルのユーザＣ，Ｄからの信号は干渉信号になる。図示の例では、基地局ＢＳ１のセル内でユーザＡの上りリンク信号は、一定の期間毎に周波数帯域Ｂ１又はＢ２を交互に使用して伝送される。ユーザＢの上りリンク信号のホッピングパターンは、ユーザＡの上りリンク信号のホッピングパターンとは逆のパターンである。言い換えれば、ある期間ではユーザＡの信号は周波数帯域Ｂ１で送信され、ユーザＢの信号は周波数帯域Ｂ２で送信される。次の期間では逆にユーザＡの信号は周波数帯域Ｂ２で送信され、ユーザＢの信号は周波数帯域Ｂ１で送信される。以後この送信手順が反復される。このように各ユーザが上りリンク信号の送信に使用する帯域をホッピングパターンに従って切り換えることで、特定のユーザの上りリンク信号だけが大きな干渉の影響を受けてしまうことが回避される。言い換えれば、セル間干渉の影響をセル内の１以上のユーザに分散させることができる。
【００３４】
図７，８はシステムで使用される周波数帯域が複数の周波数ブロック（チャンク）に分割される場合のホッピング例を示す。図７は周波数ブロック内で周波数ホッピングが行われる前の様子を示す図である。１つの周波数ブロックは複数のユーザにより共用される。図示の例では、システム全体で２０ＭＨｚの帯域が使用され、その帯域が５ＭＨｚの幅の周波数ブロック４つに分割され、１つの周波数ブロックは最大４ユーザで共用される。従って、瞬時的には１ユーザが１．２５ＭＨｚの帯域を使用する。図７に示される例では、セル１における１つの周波数ブロックがユーザ１，２，３，４により共用される。また、セル２における１つの周波数ブロックがユーザ５，６，７，８により共用される。図示の簡明化のため、ユーザ３，４，７，８に関するシンボルは省略されている。セル１，２で使用される図示の周波数ブロックは同じ中心周波数を有する。従って、仮にこのシンボルマッピング例のように基地局が上りリンク信号をスケジューリングしたとすると、ユーザ１及びユーザ５は常に干渉を及ぼし合う関係になる。ユーザ２及びユーザ６も常に干渉を及ぼし合う関係になる。他のユーザについても何れかのユーザと干渉を及ぼし合う関係が生じてしまう。
【００３５】
図８は周波数ブロック内で周波数ホッピングが行われた後の様子を示す図である。図示の周波数ホッピング例では、各ユーザは周波数帯域Ｂ１，Ｂ２，Ｂ３，Ｂ４を一定期間毎に巡回的に使用して上りリンク信号を送信するようにスケジューリングがなされる。ユーザ１は周波数帯域Ｂ１から順に、ユーザ２は周波数帯域Ｂ２から順に１．２５ＭＨｚの４つの帯域を巡回的に使用する。このようなホッピングパターンとは異なるホッピングパターンで、セル２内のユーザ５，６の上りリンク信号のスケジューリングが行われる。
【実施例２】
【００３６】
図３，４の説明で言及されたように、送信信号は符号拡散された後に送信機から送信され、受信機にて受信信号が符号逆拡散されてもよい。更には、符号拡散及び符号逆拡散の方式は、可変拡散率チップ繰り返しファクタを用いた符号分割多重接続（ＶＳＣＲＦ−ＣＤＭＡ：Ｖａｒｉａｂｌｅ  Ｓｐｒｅａｄｉｎｇ  Ｃｈｉｐ  Ｒｅｐｅｔｉｔｉｏｎ  Ｆａｃｔｏｒｓ−Ｃｏｄｅ  Ｄｉｖｉｓｉｏｎ  Ｍｕｌｔｉｐｌｅ  Ａｃｃｅｓｓ）方式でもよい。この場合に、図３の中で番号３２５で参照される場所に設けられる拡散部は、図９に示されるようなものでもよい。また、図４の中で番号４４５で参照される場所に設けられる逆拡散部は、図１０に示されるようなものでもよい。ＶＳＣＲＦ−ＣＤＭＡ方式はシングルキャリアで使用できるので、マルチキャリア方式の場合とは異なり、ピーク対平均電力比（ＰＡＰＲ）が過剰に大きくならずに済む。
【００３７】
図９は、ＶＳＣＲＦ−ＣＤＭＡ方式の送信機に使用される拡散部のブロック図を示す。拡散部は、符号乗算部１６０２と、繰り返し合成部１６０４と、移相部１６０６とを有する。
【００３８】
符号乗算部１６０２は、送信信号に拡散符号を乗算する。図９では、乗算器１６１２により、所与の符号拡散率ＳＦの下で定められたチャネリゼーションコードが送信信号に乗算される。更に、乗算器１６１４によりスクランブルコードが送信信号に乗算される。符号拡散率ＳＦは、通信環境に応じて適切に設定される。より具体的には、（１）伝搬路状態、（２）セル構成、（３）トラフィック量及び（４）無線パラメータの１以上に基づいて符号拡散率ＳＦが設定されてもよい。符号拡散率ＳＦの設定は、基地局で行ってもよいし、移動局で行ってもよい。但し、トラフィック量のような基地局側で管理する情報を利用する場合には、基地局で符号拡散率を決定した方が好ましい。
【００３９】
繰り返し合成部１６０４は、拡散後の送信信号を、時間的に圧縮し、所定数回（ＣＲＦ回）反復する。繰り返し数ＣＲＦが１に等しい場合の構成及び動作は、直接シーケンスＣＤＭＡ（ＤＳ−ＣＤＭＡ）方式の場合に等しくなる（但し、ＣＲＦ＝１の場合は、移相部での位相シフトは不要である。）。
【００４０】
移相部１６０６は、所定の周波数分だけ送信信号の位相をずらす（シフトさせる）。ずらす位相量は、移動局毎に固有に設定される。
【００４１】
図１０は、ＶＳＣＲＣ−ＣＤＭＡ方式の受信機に使用される逆拡散部のブロック図を示す。逆拡散部は、移相部１７０２と、繰り返し合成部１７０４と、符号逆拡散部１７０６とを有する。
【００４２】
移相部１７０２は、移動局毎に設定されている位相量を受信信号に乗算し、受信信号を移動局毎の信号に分離する。
【００４３】
繰り返し合成部１７０４は、繰り返されているデータを時間的に拡張し（非圧縮化し）、圧縮されていないデータを復元する。
【００４４】
符号逆拡散部１７０６は、移動局毎の拡散符号を受信信号に乗算することで、逆拡散を行う。
【００４５】
図１１は、ＶＳＣＲＦ−ＣＤＭＡ方式での主要な動作を説明するための図である。説明の便宜上、符号拡散後の信号系列のある１つのデータ群が、ｄ１，ｄ２，．．．，ｄＱで表現され、個々のデータｄｉ（ｉ＝１，．．．，Ｑ）の期間がＴＳであるものとする。１つのデータｄｉは１つのシンボルに対応させてもよいし、適切な他のいかなる情報単位に対応させてもよい。この一群の信号系列は、全体でＴＳ×Ｑ  に相当する期間を有する。この信号系列１８０２は、繰り返し合成部１６０４への入力信号に対応する。この信号系列は、時間的に１／ＣＲＦに圧縮され、その圧縮後の信号がＴＳ×Ｑ  の期間にわたって繰り返されるように変換される。変換後の信号系列は、図１１で１８０４により表現されている。図１１には、ガードインターバルの期間も図示されている。時間的な圧縮は、例えば、入力信号に使用されているクロック周波数よりもＣＲＦ倍高い周波数を利用して行うことができる。これにより、個々のデータｄｉの期間は、ＴＳ／ＣＲＦに圧縮される（但し、ＣＲＦ回反復される）。圧縮及び繰り返された信号系列１８０４は、繰り返し合成部１６０４から出力され、移相部１６０６に入力され、所定の位相量だけシフトさせられ、出力される。位相量は、移動局毎に設定され、各移動局に関する上り信号が互いに周波数軸上で直交するように設定される。
【００４６】
上りリンク信号の周波数スペクトルは、概して図１１の１８０６に示されるような様子になる。図中、拡散帯域幅として示されている帯域は、拡散後の信号系列１８０２（繰り返し合成部１６０４の入力信号のスペクトル）がそのまま送信されたならば占めるであろう帯域を示す。時間圧縮及び繰り返しがなされた段階でのスペクトル（繰り返し合成部１６０４の出力信号のスペクトル）は、複数の狭帯域に局在するが、そのようなスペクトルは総ての移動局に共通する。そのスペクトルを移動局に固有の位相量だけシフトさせることで、それらの帯域が互いに重複しないようにすることができる。時間圧縮、繰り返し及び位相シフトを行うことで、個々の移動局に関する周波数帯域を狭帯域化させ、各移動局に関する周波数スペクトルを櫛歯状に並べることができる。更に移動局毎に信号の位相を互いにずらすことで、セル内の複数のユーザ間で周波数軸上での直交化を実現することができる。
【００４７】
受信側では送信側と逆の動作が行われる。即ち、移動局毎の位相量に合わせて、図１０の移相部１７０２にて受信信号に位相が付与され、繰り返し合成部１７０４に入力される。入力された信号は、時間的に非圧縮化され、拡散されている信号系列に変換され、繰り返し合成部１７０４から出力される。この信号に、逆拡散部１７０６で所定の拡散符号を乗算することで、逆拡散が行われる。
【００４８】
このようなＶＳＣＲＦ−ＣＤＭＡ方式の通信が行われるシステムのセル間でも、周波数及び／又は時間方向のホッピングパターンを適切に設定することで、セル間干渉を効果的に抑圧することができる。例えば、図１に示されるようなシステムのセル１，２でそれぞれＶＳＣＲＦ−ＣＤＭＡ方式の通信がなされているとする。この場合、セル１の基地局ＢＳ１は、ユーザＣ，Ｄからの干渉信号に起因して、図１２上側に示されるような櫛歯状のスペクトルを観測する。ユーザＣはセル端に位置し、ユーザＤはそのセル端には位置していないことが想定されている。図１２の例では、１つの周波数ブロックがユーザＡ，Ｂの間で共用される。図１２下側に示されるように、ユーザＡ，Ｂの上りリンク信号は、櫛歯状のスペクトルで示される帯域の２種類を交互に利用して伝送されるようスケジューリングされる。
【００４９】
ホッピングする帯域の選択肢は、想定される全帯域（チャンクが使用されるなら１チャンクの帯域）の中で多重される最大ユーザ数で決定される。図７，８の例ではその最大多重数は４であった。ＶＳＣＲＦ−ＣＤＭＡ方式では、所与の帯域内で多重化できる最大数は、チップ繰り返し数（ＣＲＦ）である（ＣＲＦ個のユーザの信号を互いに直交させることができる。）。ホッピングする帯域の選択肢はチップ繰り返し数だけ用意できるので、より多くのホッピングパターンが柔軟に導出可能になり、セル間干渉を抑制する能力を高めることができる。
【図面の簡単な説明】
【００５０】
【図１】移動通信システムの概略図である。
【図２】周波数スペクトルの一例を示す図である。
【図３】本発明の一実施例による送信機のブロック図を示す。
【図４】本発明の一実施例による受信機のブロック図を示す。
【図５】本発明の一実施例による動作例のフローチャートである。
【図６】適切なホッピングパターンでスケジューリングされた上りリンク信号の一例を示す図である。
【図７】周波数ブロック内で周波数ホッピングが行われる前の様子を示す図である。
【図８】周波数ブロック内で周波数ホッピングが行われた後の様子を示す図である。
【図９】ＶＳＣＲＦ−ＣＤＭＡ方式の送信機に使用される拡散部のブロック図である。
【図１０】ＶＳＣＲＦ−ＣＤＭＡ方式の受信機に使用される逆拡散部のブロック図である。
【図１１】ＶＳＣＲＦ−ＣＤＭＡ方式の動作原理の説明図である。
【図１２】適切なホッピングパターンでスケジューリングされた上りリンク信号の一例を示す図である。
【符号の説明】
【００５１】
３１  チャネル符号化部
３２  データ変調部
３３  ホッピングパターン記憶部
３４  周波数制御部
３５  周波数調整部
３６  バンドパスフィルタ部
４１  ホッピングパターン記憶部
４２  周波数制御部
４３  周波数調整部
４４  バンドパスフィルタ部
４５  データ復調部
４６  チャネル復号部
１６０２  符号乗算部
１６０４  繰り返し合成部
１６０６  移相部
１７０２  移相部
１７０４  繰り返し合成部
１７０６  逆拡散部
【図１】
2006352380.tif 000003
【図２】
2006352380.tif 000004
【図３】
2006352380.tif 000005
【図４】
2006352380.tif 000006
【図５】
2006352380.tif 000007
【図６】
2006352380.tif 000008
【図７】
2006352380.tif 000009
【図８】
2006352380.tif 000010
【図９】
2006352380.tif 000011
【図１０】
2006352380.tif 000012
【図１１】
2006352380.tif 000013
【図１２】
2006352380.tif 000014